(57)【要約】【課題】汚水処理システムの沈殿物回収装置を提供する。【解決手段】本発明の汚水処理システムの沈殿物回収装置は、底壁に沈殿物出口が設けられ、底壁の隅に位置される汚水処理タンクと、沈殿物出口に連結されると共に処理タンクの外側に位置されるパイプと、沈殿物出口を包囲させると共に沈殿物出口に連接される第一斜板と、第一斜板を包囲させると共に第一斜板に連接される第二斜板とを備える。第一斜板は沈殿物出口に向けて傾斜されると共に第一斜度を有する。第二斜板は沈殿物出口に向けて傾斜すると共に第二斜度を有する。第一斜度は第二斜度より大きい。沈積物は斜板に落下し、且つ自重により引力に引かれると共に斜板の斜度の違いにより沈殿物出口に滑落し、その後に排出される。【選択図】図１
2018015760.tif 000002
【特許請求の範囲】
【請求項１】
複数の側壁及び底壁が結合されることにより構成され、且つ処理空間が形成され、前記底壁には沈殿物出口が設けられる汚水処理タンクと、
前記沈殿物出口を包囲させると共に前記沈殿物出口に連接される第一斜板と、
前記第一斜板を包囲させると共に前記第一斜板に連接される第二斜板と、を備え、
前記第一斜板は前記沈殿物出口に向けて傾斜されると共に第一斜度を有し、
前記第二斜板は前記沈殿物出口に向けて傾斜されると共に第二斜度を有することを特徴とする、
汚水処理システムの沈殿物回収装置。
【請求項２】
前記沈殿物出口に連結されるパイプを更に備えることを特徴とする、請求項１に記載の汚水処理システムの沈殿物回収装置。
【請求項３】
前記第一斜度は第二斜度より大きいことを特徴とする、請求項１に記載の汚水処理システムの沈殿物回収装置。
【請求項４】
前記沈殿物出口は前記底壁的の隅箇所に位置されることを特徴とする、請求項１に記載の汚水処理システムの沈殿物回収装置。
【請求項５】
前記第一斜板及び前記第二斜板に接合される第一接合部材を更に備えることを特徴とする、請求項１に記載の汚水処理システムの沈殿物回収装置。
【請求項６】
前記第一接合部材はＬ字形鋼であり、前記底壁に更に接合されることを特徴とする、請求項５に記載の汚水処理システムの沈殿物回収装置。
【請求項７】
前記第二斜板及び前記底壁に接合される第二接合部材を更に備えることを特徴とする、請求項１に記載の汚水処理システムの沈殿物回収装置。
【請求項８】
前記沈殿物出口に連結されるパイプを更に備え、前記第二接合部材は前記パイプに更に接合されることを特徴とする、請求項７に記載の汚水処理システムの沈殿物回収装置。
【発明の詳細な説明】
【技術分野】
【０００１】
本発明は、回収装置に関し、更に詳しくは、汚水処理システムの沈殿物回収装置に関する。
【背景技術】
【０００２】
生物処理技術は汚水処理分野において使用される最も成熟した技術であり、様々な汚水及び工業処理に応用されている。所謂生物処理とは、微生物を利用して有機酸化物を分解させ、且つ微生物の生長に有利な環境を人工的に作り出し、微生物を大量繁殖させて、その有機酸化物分解能力を高める廃水処理方式である。
【０００３】
膜分離活性汚泥法（Ｍｅｍｂｒａｎｅ  ＢｉｏＲｅａｃｔｏｒ、  ＭＢＲ）は現在高度に発展した水処理技術である。ＭＢＲは膜分離技術及び生化学処理技術が結合された新しい汚水処理技術であり、微孔膜の濾過作用を利用し、嫌気性または好気性の沈殿物をリアクター中に滞留させ、沈殿物の濃度を高め、汚泥日齢を延ばし、高い固液分離能力により生分解効率を高め、排出基準またはより高い水のリサイクル基準をクリアさせる。
ＭＢＲは通常２級生物処理に応用されるが、生物処理及び薄膜による濾過という特性を有し、水質処理に関しては３級の処理性能を達成させる。汚水と微生物とが反応した後に発生するリアクターの底に溜まる沈殿物は、高い化学的酸素要求量（Ｃｈｅｍｉｃａｌ  ｏｘｙｇｅｎ  ｄｅｍａｎｄ、ＣＯＤ）を備える高濃度の微生物や細菌を含み、これを回収して再利用する。
【発明の概要】
【発明が解決しようとする課題】
【０００４】
しかしながら、現在の回収技術は適切とは言えず、改善の余地がある。そこで、本発明者は上記の欠点が改善可能と考え、鋭意検討を重ねた結果、合理的かつ効果的に課題を改善する本発明の提案に到った。
【０００５】
かかる従来の実情に鑑みて、本発明は、一般的な膜分離活性汚泥法（ＭＢＲ）の回収機能及び自浄機能を向上させる、汚水処理システムの沈殿物回収装置を提供することを目的とする。
【課題を解決するための手段】
【０００６】
上述した課題を解決し、上記目的を達成するため、本発明に係る汚水処理システムの沈殿物回収装置の特徴は、汚水処理タンクの底壁に設けられ、底壁の隅に位置される沈殿物出口と、沈殿物出口に連結されると共に処理タンクの外側に位置されるパイプと、沈殿物出口を包囲させると共に沈殿物出口に連接される第一斜板と、第一斜板を包囲させると共に第一斜板に連接される第二斜板とを備える。
第一斜板は沈殿物出口に向けて傾斜されると共に第一斜度を有する。第二斜板は沈殿物出口に向けて傾斜されると共に第二斜度を有する。第一斜度は第二斜度より大きいことを特徴とする。
【発明の効果】
【０００７】
汚水処理タンク中では、汚水は複数の薄膜濾過装置（ＭＢＲ）の反応作用を経た後、微孔膜濾過作用を利用し、嫌気性または好気性の沈殿物をリアクター中に滞留させ、沈殿物の濃度を高め、汚泥日齢を延ばすことにより、排出基準或いはより高い水のリサイクル基準をクリアさせる。汚水と微生物とが反応した後に発生するリアクターの底に溜まる沈殿物は、沈殿物出口、第一斜板、或いは第二斜板に排出される。
高い化学的酸素要求量（Ｃｈｅｍｉｃａｌ  ｏｘｙｇｅｎ  ｄｅｍａｎｄ、ＣＯＤ）を備える高濃度の微生物や細菌が回収されて再利用される。本発明はこの特性を利用し、物理学的な斜面、万有引力、及び自重の作用も加え、薄膜濾過装置（ＭＢＲ）の作用を経た後の沈殿物及び高い化学的酸素要求量（Ｃｈｅｍｉｃａｌ  ｏｘｙｇｅｎ  ｄｅｍａｎｄ、ＣＯＤ）を備える高濃度な微生物や細菌を回収して利用する。
【図面の簡単な説明】
【０００８】
【図１】本発明の好ましい実施形態による回収装置を示す外観斜視図である。
【図２】本発明の好ましい実施形態による回収装置を示す上面図である。
【図３】本発明の好ましい実施形態の回収装置の３−３線に沿う断面図である。
【発明を実施するための形態】
【０００９】
以下に図面を参照して、本発明を実施するための形態について、詳細に説明する。なお、本発明は、以下に説明する実施形態に限定されるものではない。
【実施例】
【００１０】
以下に、図１〜６を参照しながら、本発明の汚水処理システムの沈殿物回収装置をさらに詳しく説明する。
本発明の汚水処理システムの沈殿物回収装置は、４つの側壁３１及び底壁３２で構成され、処理空間３３が形成される汚水処理タンク３０を備える。処理空間３３には薄膜濾過装置（図示せず）、曝気装置（図示せず）等の汚水処理設備が装設される。前述の構造はよくある一般的な膜分離活性汚泥法（ＭＢＲ）の装置であり、本発明の特徴ではないため、詳述を省く。
【００１１】
なお、本発明の特徴について下述する。汚水処理タンク３０の底壁３２には沈殿物出口１１が設けられ、底壁３２の隅に位置される。パイプ１２は沈殿物出口１１に連結される。
第一斜板１３は底壁３２の内側に設置され、沈殿物出口１１を包囲させると共に沈殿物出口１１に連接される。第二斜板１４は底壁３２の内側に設置され、第一斜板１３を包囲させると共に第一斜板１３に連接され、第二斜板１４の他端は側壁３１に連接される。第一斜板１３は沈殿物出口１１に向けて傾斜され、且つ第一斜度を有する。第二斜板１４は沈殿物出口１１に向けて傾斜され、且つ第二斜度を有する。第一斜度は第二斜度より大きい。
【００１２】
好ましい実施態様において、第一斜板１３は複数の板体が連接されることにより構成され、第二斜板１４も複数の板体が連接されることにより構成される。第一接合部材１５は第一斜板１３と第二斜板１４との間に設置され、第一斜板１３及び第二斜板１４の接合に用いられる。本実施形態において、第一接合部材１５はＬ字形鋼であり、第一斜板１３及び第二斜板１４を接合させる以外、底壁３２も更に接合させる。
第二接合部材１６は第一斜板１３とパイプ１２との間に設置され、第一斜板１３及びパイプ１２の接合に用いられる。好ましい実施態様において、第二接合部材１６はＬ字形鋼であり、第一斜板１３及びパイプ１２を接合させる以外、底壁３２も更に接合させる。
【００１３】
汚水処理タンク３０中では、汚水は複数の薄膜濾過装置（ＭＢＲ）の反応作用を経た後、微孔膜濾過作用を利用し、嫌気性または好気性の沈殿物をリアクター中に滞留させ、沈殿物の濃度を高め、汚泥日齢を延ばすことにより、排出基準或いはより高い水のリサイクル基準をクリアさせる。
汚水と微生物とが反応した後に発生するリアクターの底に溜まる沈殿物は、沈殿物出口１１、第一斜板１３、或いは第二斜板１４に排出される。沈殿物出口１１に排出された沈殿物は、直接排出される。第一斜板１３に排出された沈殿物は、自重及び斜度の作用により、沈殿物出口１１に滑落し、その後に排出される。第二斜板１４に排出された沈殿物も同じ作用により斜度が小さい第二斜板１４から斜度の大きい第一斜板１３に進み、その後に沈殿物出口１１から排出される。
【００１４】
第一斜板１３の斜度が第二斜板１４の斜度より大きいため、沈殿物は自重の重力加速度のために徐々に加速し、滑落速度が増し、滑落動作もスムーズになる。最後に、沈殿物が第二斜板１４から第一斜板１３を経て沈殿物出口１１に滑落し、その後に沈殿物回収装置中から排出される。
汚水処理タンク３０の清掃を行う必要がないため、時間や労力を節約できる。高い化学的酸素要求量（Ｃｈｅｍｉｃａｌ  ｏｘｙｇｅｎ  ｄｅｍａｎｄ、ＣＯＤ）を備える高濃度の微生物や細菌が回収されて利用される。本発明はこの特性を利用し、物理学的な斜面、万有引力、及び自重の作用も加えて、薄膜濾過装置（ＭＢＲ）の作用を経た後の沈殿物及び高い化学的酸素要求量（Ｃｈｅｍｉｃａｌ  ｏｘｙｇｅｎ  ｄｅｍａｎｄ、ＣＯＤ）を備える高濃度の微生物や細菌が回収されて利用される。
【００１５】
従って、本明細書に開示された実施例は、本発明を限定するものではなく、説明するためのものであり、このような実施例によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００１６】
１１  沈殿物出口
１２  パイプ
１３  第一斜板
１４  第二斜板
１５  第一接合部材
１６  第二接合部材
３０  汚水処理タンク
３１  側壁
３２  底壁
３３  処理空間
【図１】
2018015760.tif 000003
【図２】
2018015760.tif 000004
【図３】
2018015760.tif 000005